(57)【要約】【課題】輝度の均一性を高めることができるとともに出射角分布を向上させることのできる照明装置及びこれを備えた電気光学装置を実現する。【解決手段】本発明の照明装置１００は、光源１１１と、前記光源に対向配置された端面が光入射面１１２ａとなり、該光入射面から入射した光を伝播させるように構成されているとともに当該光の伝播経路中に光を背面側に偏向させる光偏向部１１２ｓを有し、さらに背面１１２ｃから入射した光を前面に設けられた光出射面１１２ｂから出射させるように構成され、光入射面から入射した光を光出射面側よりも背面側に多く出射させる導光部材１１２と、前記導光部材の背面上に配置された光反射体１１３と、を具備することを特徴とする。【選択図】図１
2007242497.tif 000002
【特許請求の範囲】
【請求項１】
光源と、
前記光源に対向配置された端面が光入射面となり、該光入射面から入射した光を伝播させるように構成されているとともに当該光の伝播経路中に光を背面側に偏向させる光偏向部を有し、さらに背面から入射した光を前面に設けられた光出射面から出射させるように構成され、前記光入射面から入射した光を前記光出射面側よりも前記背面側に多く出射させる導光部材と、
前記導光部材の背面上に配置された光反射体と、
を具備することを特徴とする照明装置。
【請求項２】
前記光偏向部は前記導光部材の光出射面に形成されたプリズム構造であることを特徴とする請求項１に記載の照明装置。
【請求項３】
前記プリズム構造は、前記光出射面と平行に進行する前記導光部材中の内部伝播光を背面側へ反射させるとともに背面側から前記光出射面と直交する方向に進行する前記導光部材中の内部伝播光を透過させる光偏向面を備えていることを特徴とする請求項２に記載の照明装置。
【請求項４】
前記光反射体は、前記導光部材と対向する側に散乱性反射面を有することを特徴とする請求項１乃至３のいずれか一項に記載の照明装置。
【請求項５】
前記導光部材と前記光反射体との間に配置された光拡散層をさらに具備することを特徴とする請求項１乃至３のいずれか一項に記載の照明装置。
【請求項６】
請求項１乃至５のいずれか１つに記載の照明装置と、
前記導光部材の前記光出射面上に配置された透過型電気光学パネルと、
を具備することを特徴とする電気光学装置。
【請求項７】
請求項６に記載の電気光学装置を搭載したことを特徴とする電子機器。
【発明の詳細な説明】
【技術分野】
【０００１】
本発明は照明装置、電気光学装置、及び、電子機器に係り、特に、導光部材を備えた照明装置の導光構造に関する。
【背景技術】
【０００２】
一般に、液晶表示体などのバックライトとして、光源と、この光源に対向する光入射面を備えた導光板と、導光板の背後に配置された反射シートとを有する面状の光出射面を備えた照明装置が知られている（例えば、以下の特許文献１参照）。このような照明装置では、光源から放出された光は光入射面から導光板の内部に入射し、平面方向に伝播した後、光偏向素子の作用により少しずつ前面の光出射面から出射される。導光板に入射した光の一部は背面から出射するが、背面上に配置された反射シートによって反射され、再び導光板の内部に戻って最終的には光出射面から出射される。
【０００３】
導光板の背面には平面的に所定の分布で配置された上記の光偏向素子が形成され、この光偏向素子は導光板内の内部伝播光の一部を光出射面側へ偏向させる機能を備えている。光偏向素子としては、例えば、導光板の背面に形成された凹凸状のプリズム構造や印刷等によって形成される散乱層などが用いられる。通常、面状の光出射面を備えた照明装置では光出射面の広い範囲に亘る平面的に均一な輝度分布が要求されるため、光源に対する上記光偏向部の構造やその分布を最適化することが行われている。
【特許文献１】国際公開パンフレットＷＯ９８／１９１０５
【発明の開示】
【発明が解決しようとする課題】
【０００４】
しかしながら、前述の照明装置にあっては、光源と導光板の位置関係によって導光板の輝度分布が微妙に変化するため、光出射面上の輝度分布が不均一になり、光源側に輝度の高い領域が形成されたり、輝線や暗線などが生じたりするといったことがある。特に、導光板に設けられた光偏向素子が明るく見えることにより、輝度の均一性を損なう場合があった。そこで、従来の照明装置では、導光板のさらに前面側に光拡散シートを配置することにより輝度分布の均一性を向上させることが行われていたが、それでも充分な輝度分布の均一性が得られない場合があった。
【０００５】
また、導光板の光出射面から出射される光の出射角分布は、光源の配置、導光板の光偏向素子の構造や分布などによって決定されるため、上記出射角分布を使用態様に合わせて調整するために、特に光出射面から出射する光の出射角を前方へ集中させるために、導光板のさらに前面側にプリズム構造を有する集光シート等を配置している。しかし、集光シートによる光の集光作用には限界があるとともに、集光シートを配置すると光の利用効率が低下し、しかも照明装置が厚くなり、装置全体の薄型化を妨げるといった問題点がある。
【０００６】
特に、近年の電子機器の小型化等の進展により照明装置の薄型化の要請が強くなっているが、照明装置を薄型化すると導光板を薄くせざるを得ないため、輝度の均一性及び出射角分布に関する所望の性能を確保することが難しくなってきている。
【０００７】
そこで、本発明は上記問題点を解決するものであり、輝度の均一性を高めることができるとともに出射角分布を向上させることのできる照明装置及びこれを備えた電気光学装置を実現することにある。特に、薄型化しても所望の光学性能を確保することのできる照明装置を実現することにある。
【課題を解決するための手段】
【０００８】
斯かる実情に鑑み、本発明の照明装置は、光源と、前記光源に対向配置された端面が光入射面となり、該光入射面から入射した光を伝播させるように構成されているとともに当該光の伝播経路中に光を背面側に偏向させる光偏向部を有し、さらに背面から入射した光を前面に設けられた光出射面から出射させるように構成され、前記光入射面から入射した光を前記光出射面側よりも前記背面側に多く出射させる導光部材と、前記導光部材の背面上に配置された光反射体と、を具備することを特徴とする。
【０００９】
この発明によれば、導光部材に内部伝播光を背面側に偏向させる光偏向部を設け、内部伝播光が光偏向部によって背面側に偏向されることにより、光入射面から入射した光を前記光出射面側よりも前記背面側に多く出射させるように構成したため、光入射面から入射した光の多くは導光部材の背面から光反射体へ出射し、光反射体で反射された光が導光部材の背面から入射することで再び導光部材へ戻った後、光出射面から出射される。したがって、従来は光偏向部の作用によって内部伝播光が偏向されることで直接に光出射面から光が出射し、光偏向部により偏向されない光が部分的に導光部材の背面から出射して反射シートで反射されて導光部材内に戻っていたのに対して、本発明では光偏向部によって内部伝播光が背面側に多く偏向され、導光部材から一旦出射して光反射体で反射された後に再び導光部材を通過して光出射面から出射されるため、導光部材や光反射体の厚みを低減しても光路長を充分に確保することができることから、輝度分布の均一性を高めやすくなるとともに、出射光の出射角分布を設定しやすくなる。
【００１０】
特に、光偏向部が内部伝播光を背面側へ偏向させるように構成されているため、光出射面上から見て、光偏向部が輝いて見えることがなくなるため、光偏向部に起因する輝度ムラの発生を防止することができる。
【００１１】
本発明において、前記光偏向部は前記導光部材の光出射面に形成されたプリズム構造であることが好ましい。これによれば、導光部材の光出射面にプリズム構造を形成し、このプリズム構造によって内部伝播光を背面側へ偏向させるようにしたことにより、光偏向部が導光部材の外面に形成されるため、光偏向部を容易に形成できるとともに、このようなプリズム構造は導光部材の背面から入射した光を光出射面から効率的に出射させるように設計することが容易であるため、効率的に光を背面側へ偏向させることが可能になると同時に背面側から戻った反射光を効率的に光出射面から出射させることが可能になる。
【００１２】
本発明において、前記プリズム構造は、前記光出射面と平行に進行する前記導光部材中の内部伝播光を背面側へ反射させるとともに背面側から前記光出射面と直交する方向に進行する前記導光部材中の内部伝播光を透過させる光偏向面を備えていることが好ましい。
【００１３】
本発明において、前記光反射体は前記導光部材と対向する側に散乱性反射面を有することが好ましい。これによれは、光反射体が散乱性反射面を有することにより、光を適宜に散乱させて反射させることができるため、導光部材に戻された反射光が最終的に光出射面から出射される光の光量分布及び出射角分布により決定される輝度分布の均一性をさらに高めることが可能になる。
【００１４】
本発明において、前記導光部材と前記光反射体との間に配置された光拡散層をさらに具備することが好ましい。これによれば、光拡散層によって導光部材の背面からの出射光及び光反射体による反射光を適宜に散乱させることができるため、導光部材の光出射面上の輝度分布の均一性をさらに高めることができる。
【００１５】
次に、本発明の電気光学装置は、上記のいずれかに記載された照明装置と、前記導光部材の前記光出射面上に配置された透過型電気光学パネルと、を具備することを特徴とする。
【００１６】
また、本発明の電子機器は、上記の電気光学装置を搭載したことを特徴とする。上記の電気光学装置を搭載することで、輝度分布の均一性や光の利用効率を高めることができるため、高品位の光学機能を得ることができる。また、電気光学装置の薄型化を図ることができるため、電子機器の薄型化が可能になる他、設計の自由度を拡大でき、また、デザイン性の向上を図ることも可能になる。このような電子機器としては、ノート型パーソナルコンピュータ装置、携帯電話機、電子時計、携帯型情報端末などの携帯型電子機器が最も好ましい。
【発明を実施するための最良の形態】
【００１７】
［照明装置］
次に、添付図面を参照して本発明の実施形態について詳細に説明する。図１は本発明に係る照明装置１１０の実施形態の縦断面図、図２は照明装置１１０の平面図である。照明装置１１０は、ＬＥＤ（発光ダイオード）等で構成される光源（点状光源）１１１と、この光源１１１に隣接して配置された導光板１１２と、導光板１１２の背面１１２ｃに対向配置された反射面１１３ｒを有する反射シート１１３とを備えている。
【００１８】
光源１１１は図示例の場合ＬＥＤ等の点状光源であるが、特に限定されるものではなく、例えば、冷陰極管などの線状光源を用いてもよい。また、図示例の場合、点状光源である複数の光源１１１が配列されているが、単一の光源のみが配置されていてもよい。
【００１９】
導光板１１２は、アクリル樹脂やポリカーボネート等の、好ましくは高い屈折率（１．４以上）を有する透明材料で構成されている。また、導光板１１２は光源１１１の光放出面１１１ａに対向する光入射面１１２ａを端面として有し、光出射面１１２ｂを前面（図示上面）として有し、この光出射面１１２ｂの反対側が背面１１２ｃとなっている。ここで、光入射面１１２ａは基本的には平坦に構成されていればよいが、図示例の場合、光源１１１が点状光源であることから、導光板１１２への光の入射角分布を調整するために三角柱形状等のプリズム構造を有していてもよい。また、背面１１２ｃも基本的には平坦に構成することができるが、光の方向を揃えるために適宜のプリズム構造を備えていてもよい。光出射面１１２ｂと背面１１２ｃは図示例では平行に形成されている。ただし、両面がやや傾斜して構成され、全体として導光板１１２の断面形状が楔状に形成されていてもよい。
【００２０】
導光板１１２には光偏向部１１２ｓが形成されている。この光偏向部１１２ｓは導光板１１２の内部を光入射面１１２ａから反対側へ向けて伝播する内部伝播光を背面１１２ｃ側へ偏向させる機能を有するものであれば如何なるものであってもよいが、図示例では光出射面１１２ｂに形成されたプリズム構造として設けられている。このプリズム構造からなる光偏向部１１２ｓは、光出射面１１２ｂに形成された凹部（凹溝）によって構成され、後述する光偏向面を備えている。また、複数の光偏向部１１２ｓは光出射面１１２ｂ全体に分散配置されており、平面的に均一に光を背面１１２ｃ側へ偏向させることができるように構成されている。
【００２１】
図示例の場合、光偏向部１１２ｓは延長形状を有する平面パターンを有し、その長手方向が点状光源である光源１１１に向かう直線に対してほぼ直交する方向に伸びるように形成されている。ここで、図２に示すように点状光源である光源１１１が光入射面１１２ａの幅方向に複数配列されている場合には、光出射面１１２ｂを光源１１１の光軸１１１ｘと平行で光入射面１１２ａ上の光源１１１間の中間点を通過する境界線で分割してなる平面領域１１２Ｒごとに、当該平面領域１１２Ｒに対応する光源１１１に向かう直線に対してほぼ直交する方向に伸びる複数の光偏向部１１２ｓが分散して配置される。
【００２２】
なお、光偏向部１１２ｓの平面分布は図示例のものに限らず、例えば、延長形状の平面パターンを有する複数の光偏向部１１２ｓが光源１１１の光軸１１１ｘと直交する方向に伸びる姿勢で分散配置されていてもよく、また、各光偏向部１１２ｓが円弧状若しくは直線状の連続した凹溝で構成され、このような複数の光偏向部１１２ｓが全体として同心円弧状若しくはストライプ状に配置されていてもよい。
【００２３】
図６は本実施形態の光偏向部１１２ｓの断面形状を示す拡大部分断面図である。光偏向部１１２ｓは、光出射面１１２ｂに形成された凹部若しくは凹溝で構成され、この凹部若しくは凹溝内には、光入射面１１２ａ側に配置された傾斜した光偏向面１１２ｓａと、光入射面１１２ａとは反対側に配置された対向面１１２ｓｂとを有している。光偏向面１１２ｓａは光入射面１１２ｂに対して傾斜角θを有し、この傾斜角θは３０〜５０度の範囲内に設定される。この傾斜角θは、多くの内部伝播光Ｌｉに対しては全反射面となり、多くの後述する反射光Ｌｒに対しては透過面となるように設定される。実際の角度は導光板１１２の屈折率等の光学設計時のパラメータに応じて設定される。また、対向面１１２ｓｂの角度は特に限定されないが、後述する反射シート１１３側から入射する反射光に対する悪影響を低減するために図示例のようにほぼ垂直に形成されている。ただし、対向面１１２ｓｂの光出射面１１２ｂに対する角度は９０度に限定されるものではない。
【００２４】
本実施形態の導光板１１２は、上記の光偏光部１１２ｓを備えたことにより、光入射面１１２ａから入射した光を光出射面１１２ｂ側よりも背面１１２ｃ側に多く出射させるように構成されている。すなわち、光入射面１１２ａから入射した光のうち、導光板１１２の内部から直接に光出射面１１２ｂを通して前方へ出射する光よりも、導光板１１２の内部から直接に背面１１２ｃを通して背面側へ出射する光の方が多くなるように構成されている。これによって、光出射面１１２ｂから最終的に出射する光の多くは、導光板１１２から背面１１２ｃ側へ出射され、反射シート１１３で反射されて再び導光板１１２内に入射した光となる。
【００２５】
反射シート１１３は導光板１１２の背面１１２ｃとほぼ平行に設置されている。この反射シート１１３は反射面１１３ｒを備えたものであれば特に限定されないが、例えば、金属板、樹脂等からなる基材上にＡｌやＡｇ等の金属薄膜を形成したもの、白色ポリエチレン等の樹脂シート等で構成することができる。
【００２６】
本実施形態では、図１及び図２に示すように、光源１１１の光放出面１１１ａから放出された光は、導光板１１２の光入射面１１２ａから入射して導光板１１２の内部伝播光となり、図示左側から右側へと伝播していく。そして、図６に示すように、この内部伝播光Ｌｉの一部は伝播していく途中でその多くが上記光偏向面１１２ｓａに入射し、その入射角が光偏向面１１２ｓａの全反射角より大きい場合には全反射されて背面１１２ｃ側へと偏向される。
【００２７】
そして、上記のように光偏向部１１２ｓによって背面側へ偏向された光Ｌｊは導光板１１２の背面１１２ｃから一旦出射し、反射シート１１３で反射される。この反射光Ｌｒは再び背面１１２ｃから導光板１１２内に入射し、そのまま光出射面１１２ｂから出射される。ここで、導光板１１２の上記光偏向面１１２ｓａに上記反射光Ｌｒが入射する場合、その入射角が全反射角より小さければ反射光Ｌｒは光偏向面１１２ｓａを通過し、光出射面１１２ｂから出射される。したがって、上記傾斜角θは、例えば、光出射面１１２ｂと平行に進行する内部伝播光Ｌｉに対しては光偏向面１１２ｓａが全反射面となり、かつ、光出射面１１２ｂと直交する方向に進行する反射光Ｌｒに対しては光偏向面１１２ｓａが全反射面としては機能せず、単なる透過面（屈折面）として作用するように設定されることが好ましい。
【００２８】
本実施形態では、導光板１１２の内部伝播光の多くが光偏向部１１２ｓによって背面側へ偏向され、そのまま一旦出射して反射シート１１３で反射された後に再び導光板１１２に戻ってから光出射面１１２ｂから出射されるように構成されていることにより、導光板１１２や反射シート１１３の配置領域の厚みが薄くても光路長を充分に確保することができるため、光出射面１１２ｂの輝度分布の均一性や出射光の出射角分布を適宜に設定しやすくなる。したがって、照明装置の薄型化と光学性能の確保とを高いレベルで両立することが可能になる。
【００２９】
特に、従来の導光板では、光出射面側へ光を偏向させるための光偏向部のパターンが明るく光ることによって、周囲より明るいパターンとなったり、稜線等が輝線として見えたりすることとなり、これによって照明品位が大幅に低下するといったことがあったが、本実施形態の光偏向部１１２ｓは背面側へ光を偏向させるものであるため、偏向方向の相違からそのパターンが輝いて見えることはない。したがって、光偏向部１１２ｓが輝度分布の均一性に与える影響はきわめて小さくなる。
【００３０】
本実施形態は、特に導光板１１２を薄く形成して照明装置１１０の薄型化を図る上で特に有用である。近年においては後述する電子機器の小型化に伴ってこれに搭載する電気光学装置１００の薄型化の要請が強くなってきており、その結果、導光板１１２の厚みを１ｍｍ以下（例えば０．３〜０．５ｍｍなど）にする必要があるため、輝度分布の均一性や出射角分布の好適化（正面輝度の向上）を図ることが難しくなってきている。しかし、本実施形態では、光源１１１から放射された光を導光板１１２から背面側へ偏向させ、導光板１１２から一旦出射させて反射シート１１３で反射させた後に再び導光板１１２内に取り込んで光出射面１１２ｂから出射させるようにしているため、導光板１１２が薄くても、照明光が出射されるまでの光路長を充分に確保することができることから、照明光の制御をより確実かつ良好に施すことができる。
【００３１】
例えば、上記光路は、導光板１１２の光入射面１１２ａ、導光板１１２の内部、光偏向部１１２ｓ、導光板１１２の内部、背面１１２ｃ、反射シート１１３の反射面１１３ｒ、背面１１２ｃ、導光板１１２の内部、光出射面１１２ｂを順次に通過する。したがって、上記の途中で適宜に光を制御することで、照明装置１１０の厚みを増すことなく、照明光の輝度分布の均一化や出射角分布の調整などを容易に行うことが可能になる。
【００３２】
特に、光偏向部１１２ｓを導光板１１２の光出射面１１２ｂに形成することで、光偏向部１１２ｓを形成しやすくなり、部品コストも低減できる。例えば、導光板１１２の成形時（射出成形等による加工時）に一体的に光偏向部１１２ｓを形成できる。また、光出射面１１２ｂにプリズム構造で光偏向部１１２ｓを形成することにより、内部伝播光Ｌｉを確実かつ効率的に背面１１２ｃ側へ偏向させることができると同時に、背面１１２ｃから入射した反射光Ｌｒを支障なく光出射面１１２ｂから効率的に出射させることが可能になるといった構造を容易に実現できる。
【００３３】
［反射シートの変形例１］
図３は上記実施形態と異なる照明装置の構造を示す概略断面図である。この実施形態では、散乱性反射面１１３ｒ′を備えた反射シート１１３′を用いている。散乱性反射面１１３ｒ′は、表面に微細な凹凸を形成した反射面であり、導光板１１２の背面から出射される光を散乱状態となるように反射する。これによって、反射光の強度分布が緩和されるため、最終的に光出射面１１２ｂの輝度分布を均一化することができる。
【００３４】
散乱性反射面１１３ｒ′は種々の方法で形成することができる。例えば、反射シート１１３′の基材の表面に微細な凹凸を形成しておき、この基材上に金属薄膜を形成することで、基材の表面を反映して微細な凹凸状に構成された反射面が形成されるようにしてもよい。また、反射性素材からなる表面をエッチング法や硬質の微粒子を衝突させる方法（ブラスト）等によって粗面化してもよい。
【００３５】
［反射シートの変形例２］
図４はさらに異なる照明装置の構成を示す概略断面図である。この照明装置では、反射シート１１３″の反射面１１３ｒ上に、透明な微小突起１１３ｔを多数形成してなる。この微小突起１１３ｔは透明樹脂や透明導電体等で形成することが好ましい。このような微小突起１１３ｔを設けることで、反射光Ｌｒを適宜に散乱させることができる。
【００３６】
［反射シートの変形例３］
図５はさらに別の照明装置の構成を示す概略断面図である。この照明装置では、導光板１１２の背面１１２ｃと、反射シート１１３の反射面１１３ｒとの間に光拡散シート１１４を配置してある。光拡散シート１１４は通常の照明装置において導光板の前方に配置するものを用いることができるが、本実施形態の場合、光は光拡散シート１１４を往復２回通過するため、光拡散シート１１４としては光の拡散度合が通常のものよりも低くいもので足りる。なお、光拡散層を背面１１２ｃ上や反射シート１１３の反射面上に固定してもよい。
【００３７】
［光偏向部の変形例１］
図７は異なるプリズム構造を備えた光偏向部１１２ｓ′を示す拡大断面図である。この例では、光偏向面１１２ｓａ′及び対向面１１２ｓｂ′を有する凹構造に加えて、対向面１１２ｓｂ′の背後に別の光偏向面１１２ｓｃ′を形成し、光偏向面１１２ｓａ′で全反射されずに出射した光Ｌｔを対向面１１２ｓｂ′から入射させて光偏向面１１２ｓｃ′でさらに背面側へ偏向させて光Ｌｋとすることができるように構成したものである。これによって光偏向部１１２ｓ′における内部伝播光Ｌｉの偏向効率を高めることが可能になる。
【００３８】
［光偏向部の変形例２］
図８はさらに異なるプリズム構造を備えた光偏向部１１２ｓ″を示す拡大断面図である。この例では、図６に示す単一の光偏向面１１２ｓａの代わりに、光偏向面１１２ｓａ１と１１２ｓａ２を分離して形成したものである。二つの光偏向面１１２ｓａ１と１１２ｓａ２は適宜の形状の中間面１１２ｓｆを挟んで配置され、この中間面１１２ｓｆは、例えば内部伝播光Ｌｉの進行方向に沿った軸線を有する半円筒面状に構成されることなどにより、中間面１１２ｓｆに入射した内部伝播光Ｌｉを図の紙面の前後に傾斜する方向に分散させて反射させる光分散面として機能する。
【００３９】
［電気光学装置］
図９は、上記照明装置１１０を備えた電気光学装置１００の一例を示す概略構成断面図である。この電気光学装置１００は、上記照明装置１１０の前方に配置された液晶表示パネル１２０を備えている。この電気光学パネル１２０は、透過型のセル構造を有し、カラーフィルタ１２７及び透明電極１２３が内面上に形成された基板１２２と、透明電極１２５が内面上に形成された基板１２４とをシール材１２６を介して貼り合わせ、この２枚の基板１２２、１２４とシール材１２６とからなる空間内に液晶１２８を充填したものである。また、基板１２２，１２４の外面上にはそれぞれ偏光板１２９Ｘ及び１２９Ｙが貼着等によって配置される。液晶表示パネル１２０には複数の画素１２０ａが縦横に配列され、画素１２０ａにはそれぞれ光透過領域が設けられている。
【００４０】
本実施形態において、対向する一対の透明電極１２３、１２５間に電圧を印加して液晶１２８を駆動することにより、照明光Ｌａの光透過特性を画素１２０ａ毎に変えることができ、これによって表示が可能となるように構成されている。すなわち、画素１２０ａは電気光学パネル（液晶表示パネル）１２０において光学特性を独立して制御可能な最小の単位領域を構成する。
【００４１】
カラーフィルタ１２７は、Ｒ（Ｒｅｄ：赤色）、Ｇ（Ｇｒｅｅｎ：緑色）及びＢ（Ｂｌｕｅ：青色）の３色の着色層１２７Ｒ，１２７Ｇ，１２７Ｂが周期的に配列され、全体としてストライプ状に構成されたものである。この３色の着色層１２７Ｒ，１２７Ｇ，１２７Ｂはそれぞれ上記画素１２０ａ毎に対応して形成されている。すなわち、着色層１２７Ｒ，１２７Ｇ，１２７Ｂは図示左右方向に見たときに画素１２０ａに対応して順次に繰返し配列されている。
【００４２】
本実施形態において、電気光学装置１００には、上記導光板１１２と電気光学パネル１２０との間に光拡散シート１１５及び集光シート１１６，１１７のうちの少なくとも一つが配置されていても構わない。光拡散シート１１５は、導光板１１２の光出射側に配置されており、導光板１１２の表面から出射される照明光の照度の均一性を向上させるために、照明光を散乱又は拡散させる機能を有する。この光拡散シート１１５としては、例えば、ポリエステル等の透明な合成樹脂製シートに透明ビーズを混入した樹脂をコートしてなるものを用いることができる。
【００４３】
２枚の集光シート１１６、１１７は、液晶表示パネル１２０と光拡散シート１１５の間に配置されており、照明光Ｌａを電気光学パネル１２０の正面側に集光して正面輝度を増加させるためのものである。これらの２枚の集光シートのうち、第１の集光シート１１６は照明装置１１０側に配置され、第２の集光シート１１７は液晶表示パネル１２０側に配置される。
【００４４】
なお、本実施形態では、照明装置１１０を用いることによって輝度分布の均一性（照明光Ｌａの均一性）や出射角分布を向上させることができるため、上記光拡散シート１１５、集光シート１１６，１１７を全く用いないことも可能である。また、このようにすると電気光学装置１００の厚みをさらに低減できる。
【００４５】
［電子機器］
次に、上述した実施形態に係る電気光学装置を電子機器に用いた実施形態に説明する。図１０は、本発明に係る電子機器の一実施形態である携帯電話機を示している。ここに示す携帯電話機３００は、複数の操作ボタン、送話口などを備えた操作部３０１と、受話口などを備えた表示部３０２とを有し、表示部３０２の内部に上記の電気光学装置１００が組み込まれてなる。そして表示部３０２の表面（内面）上に電気光学装置１００の表示面を視認することができる表示画面３０２ａが形成されている。この場合、携帯電話機３００の内部には、上記電気光学装置１００を制御する表示制御回路などが設けられる。この表示制御回路は、電気光学パネル１２０を駆動する公知の駆動回路（液晶ドライバ回路）に対して所定の制御信号を送り、電気光学装置１００の表示態様を決定する。
【００４６】
また、本発明に係る電子機器としては、図１０に示す携帯電話機の他に、液晶テレビ、カーナビゲーション装置、ページャ、電子手帳、電卓、ワークステーション、テレビ電話、ＰＯＳ端末機などが挙げられる。そして、これらの各種電子機器の表示部として本発明に係る液晶表示装置を用いることができる。
【００４７】
尚、本発明は、上述の図示例にのみ限定されるものではなく、本発明の要旨を逸脱しない範囲内において種々変更を加え得ることは勿論である。例えば、本実施形態においては、液晶表示セルを備えた電気光学装置について説明したが、本発明は、照明光を用いて表示や画像投影を行うものであれば、液晶表示装置に限らず、電気泳動表示装置などの他の電気光学装置であっても構わない。
【図面の簡単な説明】
【００４８】
【図１】本発明に係る照明装置の実施形態の概略縦断面図。
【図２】同実施形態の概略平面図。
【図３】同実施形態の反射シートの変形例を有する構成を示す概略縦断面図。
【図４】同実施形態の反射シートの別の変形例を有する構成を示す概略縦断面図。
【図５】同実施形態の反射シートのさらに異なる変形例を有する構成を示す概略縦断面図。
【図６】同実施形態の光偏向部の断面形状を示す拡大部分断面図。
【図７】同実施形態の光偏向部の変形例の断面形状を示す拡大部分断面図。
【図８】同実施形態の光偏向部の別の変形例の断面形状を示す拡大部分断面図。
【図９】本発明に係る電気光学装置の実施形態を示す概略断面図。
【図１０】実施形態の電子機器を示す概略斜視図。
【符号の説明】
【００４９】
１００…電気光学装置、１１０…照明装置、１１１…光源、１１２…導光板、１１２ａ…光入射面、１１２ｂ…光出射面、１１２ｃ…背面、１１２ｓ…光偏向部、１１３…反射シート、１１４…光拡散シート
【図１】
2007242497.tif 000003
【図２】
2007242497.tif 000004
【図３】
2007242497.tif 000005
【図４】
2007242497.tif 000006
【図５】
2007242497.tif 000007
【図６】
2007242497.tif 000008
【図７】
2007242497.tif 000009
【図８】
2007242497.tif 000010
【図９】
2007242497.tif 000011
【図１０】
2007242497.tif 000012